(57)【要約】【課題】  舗装構造体内に水を流して流して表面の雪を融かしたくとも、舗装内に送り込む熱量をさらに大きくしなければ厳冬地における路面融雪は実現困難である。【解決手段】  アスファルト混合物の転圧覆工にともない、表層内の深さ方向に見た途中位置を占めて水の上方への通り抜けを制限する仕切りを設ける。この仕切りの裏側表面に砕石層を接着固定したものを基層上に設置し、仕切りの上側表面に接した表層の部分と基層に挟み、両側を表層の部分により押さえて固定する。導水部に注入された水は、仕切りより下側の導水部の側部から流出していくように構成した。【選択図】図１
2018009432.tif 000002
【特許請求の範囲】
【請求項１】
アスファルト混合物からなる表層および基層、基層上にあって前記表層に比べて厚みの薄い導水路からなる舗装構造にして、
前記導水路は、アスファルト混合物の転圧覆工にともない、表層内の深さ方向に見た途中位置を占めて水の上方への通り抜けを制限する仕切りと、この仕切りの裏側表面に接着固定されていて、仕切りの上側表面に接した表層の部分と基層に挟まれ、両側を表層の部分により押さえられて固定され表層に一体化された砕石層とでなり、仕切りより下側の導水部の側部から水を流出させるように構成した舗装の表層構造体。
【請求項２】
前記表層と基層の間に挟まれて敷設されている吸水シートを備え、前記導水路はこの吸水シート上に設置されている請求項１記載の舗装の表層構造体。
【請求項３】
前記仕切りが凹凸変形可能な遮水性の織物からなる請求項１記載の舗装の表層構造体。
【発明の詳細な説明】
【技術分野】
【０００１】  本発明は、多量の水を表層内に導入し広く分散させて流すようにした舗装の表層構造体に関する。
この表層構造体は、豪雪地では融雪目的のための舗装に利用でき、夏季には冷却舗装として利用することができる。
本明細書中では、説明の便宜上、融雪の用途すなわちロードヒーティング（路面融雪）に利用する事例を参考にして本発明を説明する。
【背景技術】
【０００２】  ロードヒーティングの分野では、現場打ちコンクリートに配管を埋設し、配管中に不凍液または地下水を流通させて路盤を温める方法が汎用されている。
この方式の欠点は、立ち上がりまでに６時時間程度を予め見込む必要があり応答が遅いこと、コンクリート養生のために雨のような気象条件や低い外気温の季節には施工に制約のあることが挙げられている。【０００３】  舗装をほぼ１日で完工できるアスファルト舗装に配管を埋設することも試みられている。この方式では埋設管の下側周囲に砕石が入り込めず空洞が空きやすいこと、埋設管の膨張収縮によるひび割れが多発する欠点がある。対応策としてセメントミルクを流し込んでバインダー補強することも試みられているが有効な解決策にはなっていない。【０００４】  そこで、このひび割れの舗装層の上部に新たな舗装を重ね打ちし、配管埋設層のひび割れが外部露出しないようにする選択肢が検討されてきた。この方式は、舗装が厚くなるので材質に金属末粉末を混入するなどして伝導率を大きくする工夫が必要になり、総じて費用の嵩む欠点がある。【０００５】  解決策として、基層と表層の間に開口のあいた吸水シートを挟み込み両方の層を開口を通じて連結し、吸水シートに水を流すことで熱交換する方法が提案されてきている。しかしながら、この方式では供給できる水量が少なく供給熱量が不足するので利用できる地域は限られている。
【先行技術文献】
【特許文献】
【０００６】
【特許文献１】  特許第５３７４７９２号
【発明の概要】
【発明が解決しようとする課題】
【０００７】  舗装構造体内に送り込む熱量をさらに大きくしなければ厳冬地における路面融雪は実現困難である。【０００８】  本発明は、こうした従来の舗装構造体の問題点を解決するものであり、舗装構造体そのものを導水路に仕立てる方法で舗装の全域にわたって広範囲に導水路を巡らせ、同時期に多量の温水を舗装構造内に導入しながら散逸させる方法で熱の供給量を増大させるようにしたことに特徴がある。
【課題を解決するための手段】
【０００９】  舗装構造体にパイプのような異種材料の湾曲輪郭物を埋め込むのではなく、舗装構造体でありながらその一部を占めて水の吸水路を造成し、表層の下層域に放水のできる経路を巡らせることを主要な特徴としている。
【発明の効果】
【００１０】  舗装構造体の内部に埋め込まれた導水路は舗装構造に一体化されていて、導水路の端面をあてがえば自在に延長することができる。導水路から流出した熱媒体を舗装構造全体に行き渡らせることができ、早期に融雪性能が出現し応答性に優れている。
【図面の簡単な説明】
【００１１】
【図１】  本発明に係る舗装の表層構造体の一例を示す縦断面
【図２】  基層上に設置される導水路を裏返して見た斜視図
【図３】  導水路を斜め上方から見た斜視図
【図４】  舗装内に並列に埋設された帯状の導水路を一点差線で示す平面図
【図５】  舗装内に埋設された矩形の導水路を一点差線で示す平面図
【発明を実施するための形態】
【００１２】  以下、本発明の実施形態を図１から図５に基づいて説明する。
【００１３】  図１に示す舗装構造体は、不透水性の基層１と上部に覆工されたアスファルト混合物の表層２を備えている。これら基層１と表層２の間には、図示してはいないが吸水シートを挟み込んでおくことができる。吸水シートには、織布、不織布、編布、紙材等を使用でき、特許第５３７４７９２号に記載された上下構造連結用の開口を設けておくことができる。
舗装内を移動する水の流速は、吸水シートに織布を使用すれば水は織布表面を流れやすくなり流速も早められる。不織布は水を保水させるのには都合はよいものの流速は織布に比べて遅い。
吸水シートを使用することの最大の利点は、表層内の深さ方向の途中位置に残留する水に対し吸取り紙のように機能し、凍結による損傷を防止できることである。
【００１４】  表層２を構成するアスファルト混合物には、密粒度アスファルト混合物、細粒度アスファルト混合物、開粒度アスファルト混合物、ポーラスアスファルト混合物が使用される。
粗骨材の比率を高め、細骨材とフィラーの比率を下げることで空隙率は大きく設定でき水の通りはよくなる。
例えば、透水性に優れたポーラスアスファルト混合物は、粗骨材が７５％前後、細骨材が１５％前後、フィラー４％前後、アスファルト成分６％前後の質量割合で構成されている。また、開粒度アスファルト混合物とは２．３６ｍｍふるい通過分が１５〜３０％のアスファルト混合物のことをさしている。
【００１５】  表層２の必要箇所に水を大量に供給するのが導水路３である。導水路は表層の基底と同じく基層１上に配置され、表層２の転圧覆工の際に表層内に埋設されて表層に一体化される。
【００１６】  導水路３は上部を被覆する仕切り４を備えている。表層２を覆工することで、この仕切り４は表層内の途中位置にあって水の上方への通り抜けを制限する遮水壁を構成している。例えば、表層２の舗装厚を約３０ｍｍに設定するとすれば、仕切り４は表層２の底から概ね１０ｍｍの高さ位置、表層の上面から深さ２０ｍｍ程の位置に配置されるようにして使用される。
【００１７】  この仕切り４は、下側表面に接着固定された砕石層５を備えている。砕石層５を構成する砕石等の粗骨材は、これに加えてできるだけ細骨材やフィラー等は使用せず、仕切り４に一体化させるようにして保持し通路断面を大きく設定している。
【００１８】  仕切り４を前述したような深さ約２ｃｍの位置にくるように設定しようとするなら、使用されるのが砕石なら６号が適している。６号砕石を一層分並べれば、砕石層の厚みは概ね１センチにすることができる。仕切り４が変形可能な素材、例えば、織布から作られていれば、表層の覆工に際し、砕石の基層側への転圧に伴なってできる砕石層表面の沈み込み（凹凸）に馴染んで変形し、上側面は表層アスファルト混合物の基底と緊密に接触し、仕切り４を挟んで表層の部分と導水路の砕石層は一体化される。
【００１９】  導水路３を構成する砕石のサイズは必要とする流量に関係した選択事項である。
【００２０】  砕石層５の構造を図示したような一層ではなく砕石の重なった状態にするには、上下に隣接する砕石は相互に決着させる必要がある。この場合、できるだけ細骨材やフィラーを用いずアスファルト高強度粘着剤を用いて重なる砕石を結着するようにすれば、水の通過断面積を大きくとることができる。
【００２１】  表層の転圧覆工に際し、砕石層５は仕切り４の上側表面に接した表層の部分と基層に挟まれ、両側部を表層の部分が押さえて固定保持される。導水路を三方から固定保持する立体構造により、砕石相互の結着力が劣る砕石層は封じ込められ一体化されてボックス構造体を形作っていることになる。
【００２２】  通過抵抗の少ない導水路３を流れる水は仕切り４により上方へは出て行かず、仕切りより低い位置、または仕切りより下側の導水部の側部から基層に沿って流出するようになる。導水部には配管６を通じて給水される。この給水に際し、加圧送水すれば水量は増え、水路内の流速が上がり、舗装は大量の水を取り込むことができることになる。通過抵抗の大きな表層内にも水を押し込み流動拡散させることができる。
【００２３】  導水路３の平面形状は、帯状や矩形をしている。導水路から別の導水路への接続、または導水路の延長はいたって簡単である。接続したい下流側の導水路の端面を被接続側の導水路の端面または側部に宛がうようにして連結される。導水路中の水の流通抵抗が表層部分に比べて少ないので、宛がった下流側の導水路に優先的に流れ込んでいく。あてがった導水路の仕切り４同士は粘着テープを用いる等して重ね継ぎされる。
【００２４】  図４に示す導水路３は流速の早い水の流れが形成される。図５に示す導水路には複数の配管から給水が行なわれ、導水路は貯水状態で運用される。
【符号の説明】
【００２５】  １  基層
２  表層
３  導水路
４  仕切り
５  砕石層
６  配管
【図１】
2018009432.tif 000003
【図２】
2018009432.tif 000004
【図３】
2018009432.tif 000005
【図４】
2018009432.tif 000006
【図５】
2018009432.tif 000007